(57)【要約】  システム制御装置（８０）の記憶装置（８４）は、冷媒センサ（５０）、複数の室内機（２０ａ，２０ｂ）、少なくとも１つの室外機（１０ａ，１０ｂ）、及び複数の冷媒漏洩抑制装置（７０ａ，７０ｂ）の関連性を規定するグルーピング情報を記憶する。システム制御装置（８０）は、冷媒センサ（５０）によって冷媒漏れが検知された場合に、複数の室内機（２０ａ，２０ｂ）のうち冷媒漏れが生じた室内機を特定するための処理を実行する。システム制御装置（８０）は、さらに、上記処理の実行によって特定された室内機に対して、グルーピング情報を参照して対応の冷媒漏洩抑制装置（７０ａ，７０ｂ）を作動させる。
2018216127.tif 000002
【特許請求の範囲】
【請求項１】
冷媒を循環させて対象空間の冷房又は暖房を行なうように構成された空調装置と、
前記対象空間に設置され、前記空調装置から前記対象空間への冷媒漏れを検知する冷媒漏洩検知器とを備え、
前記空調装置は、
複数の室内機と、
少なくとも１つの室外機とを含み、さらに、
前記複数の室内機にそれぞれ対応して設けられ、対応の室内機からの冷媒漏れが特定された場合に前記対応の室内機からの冷媒漏れを抑制するように構成された複数の冷媒漏洩抑制装置を備え、
前記冷媒漏洩検知器によって冷媒漏れが検知された場合に、前記複数の冷媒漏洩抑制装置のうち、冷媒漏れが生じた室内機を特定する処理の実行によって特定された室内機に設けられた冷媒漏洩抑制装置が作動する、空調システム。
【請求項２】
前記冷媒漏洩検知器、前記複数の室内機、前記少なくとも１つの室外機、及び前記複数の冷媒漏洩抑制装置の関連性を規定するグルーピング情報に従って、前記特定された室内機に対応する冷媒漏洩抑制装置が作動する、請求項１に記載の空調システム。
【請求項３】
前記特定された室内機に対応する冷媒漏洩抑制装置の作動後、前記特定された室内機以外の残余の室内機のうち、前記冷媒漏洩検知器によって冷媒漏れが検知される前に空調運転中の室内機は、運転を継続する、請求項１又は請求項２に記載の空調システム。
【請求項４】
前記対象空間内の空気を強制的に換気する換気装置をさらに備え、
前記冷媒漏洩検知器によって冷媒漏れが検知された場合に、前記処理の実行とともに前記換気装置が作動する、請求項１から請求項３のいずれか１項に記載の空調システム。
【請求項５】
前記複数の冷媒漏洩抑制装置の各々は、対応の室内機に対して設けられる遮断弁、及び前記対応の室内機内の冷媒を室外機に回収する冷媒回収運転を実行可能に構成された装置のいずれか一方を含む、請求項１から請求項４のいずれか１項に記載の空調システム。
【請求項６】
前記冷媒漏洩検知器の検知結果、及び前記複数の冷媒漏洩抑制装置の作動状況を報知するように構成された報知部をさらに備える、請求項１から請求項５のいずれか１項に記載の空調システム。
【請求項７】
前記処理は、対象の室内機に対応する室外機出口の冷媒の過冷却度を算出し、かつ、算出された過冷却度の、予め準備される正常時の過冷却度からの低下量に基づいて、冷媒漏れが生じた室内機を特定する処理を含む、請求項１から請求項６のいずれか１項に記載の空調システム。
【発明の詳細な説明】
【技術分野】
【０００１】
本開示は、空調システムに関し、特に、空調対象空間に設置される冷媒漏洩検知器の検知結果に応じて空調装置が制御される空調システムに関する。
【背景技術】
【０００２】
特開２０１６−２１１８２６号公報（特許文献１）は、空調装置からの冷媒漏れに対する保安性に優れた空調換気システムを開示する。この空調換気システムは、空調装置と、換気装置と、コントローラと、冷媒漏洩センサとを備える。空調装置は、冷媒を循環させて対象空間の冷房又は暖房を行なう。換気装置は、対象空間に設置されて対象空間の強制換気を行なう。コントローラは、空調装置の動作を制御する。冷媒漏洩センサは、対象空間における冷媒漏れを検知する。コントローラは、換気装置が正常に動作しない、又は換気装置との通信が異常である場合に、空調装置の運転を禁止する。また、コントローラは、冷媒漏洩センサにより冷媒漏れが検知されると、空調装置の運転を停止する（特許文献１参照）。【０００３】
一方、ビル等では、１つの対象空間に複数台の室内機が設置され、いくつかの室内機が共通の室外機に接続される場合がある。このような設置環境下において、冷媒漏洩センサにより冷媒漏れが検知された場合に、対象空間に設置された全ての室内機の運転が停止されると、本来運転を継続可能な室内機も停止されることにより室内の快適性が損なわれる。【０００４】
特開２０１６−１１７８１号公報（特許文献２）は、上記のような問題に対処可能な空調システムを開示する。この空調システムは、複数の室内機と、冷暖切換ユニットと、室外機とが３つの冷媒連絡管を介して接続されることにより構成される冷暖同時運転型の空気調和装置を含む。この空調システムでは、冷媒漏れを検知する冷媒センサが室内機毎に設けられる。そして、いずれかの冷媒センサが冷媒漏れを検知した場合に、冷媒漏れを検知した冷媒センサに対応する室内機のみを、各種弁操作により空調運転中の冷媒回路から遮断し、当該室内機の冷媒を対応の室外機に回収しつつ他の室内機については運転が継続される（特許文献２参照）。
【先行技術文献】
【特許文献】
【０００５】
【特許文献１】特開２０１６−２１１８２６号公報
【特許文献２】特開２０１６−１１７８１号公報
【発明の概要】
【発明が解決しようとする課題】
【０００６】
特許文献２に記載の空調システムは、冷暖同時運転を可能とする冷媒回路構成を有するシステムであり、このような冷媒回路構成を有するが故に、他の室内機について運転を継続させつつ、冷媒漏れが検知された室内機の冷媒を室外機に回収することが可能とされる。また、この空調システムでは、室内機毎に冷媒センサが設けられており、室内機と冷媒センサとを１対１で対応させなければ、冷媒漏れが生じた室内機を特定することができない。実際の空調システムにおいては、冷暖切替式の空調システムが一般的であり、また、室内機毎に冷媒センサが設けられない構成（対象空間毎に設置）もあり得る。【０００７】
それゆえに、本開示の目的は、対象空間において冷媒漏れが生じた場合に、簡易な構成で対象空間の快適性を維持しつつ保安性を高めることが可能な空調システムを提供することである。
【課題を解決するための手段】
【０００８】
本開示の空調システムは、空調装置と、冷媒漏洩検知器と、複数の冷媒漏洩抑制装置とを備える。空調装置は、冷媒を循環させて対象空間の冷房又は暖房を行なうように構成される。冷媒漏洩検知器は、対象空間に設置され、空調装置から対象空間への冷媒漏れを検知する。空調装置は、複数の室内機と、少なくとも１つの室外機とを含む。複数の冷媒漏洩抑制装置は、複数の室内機にそれぞれ対応して設けられ、各冷媒漏洩抑制装置は、対応の室内機からの冷媒漏れが特定された場合に対応の室内機からの冷媒漏れを抑制するように構成される。冷媒漏洩検知器によって冷媒漏れが検知された場合に、複数の冷媒漏洩抑制装置のうち、冷媒漏れが生じた室内機を特定する処理の実行によって特定された室内機に設けられた冷媒漏洩抑制装置が作動する。
【発明の効果】
【０００９】
本開示の空調システムにおいては、空調装置は、冷媒を循環させて対象空間の冷房又は暖房を行なうように構成された、いわゆる冷暖切替式の空調装置である。そして、対象空間に設置された冷媒漏洩検知器によって冷媒漏れが検知されると、複数の冷媒漏洩抑制装置のうち、冷媒漏れが生じた室内機を特定する処理の実行によって特定された室内機に設けられた冷媒漏洩抑制装置が作動する。これにより、対応の冷媒漏洩抑制装置が作動していない室内機については、運転を継続させる等の措置を採ることができる。このように、この空調システムによれば、対象空間において冷媒漏洩が生じた場合に、簡易な構成で対象空間の快適性を維持しつつ保安性を高めることができる。
【図面の簡単な説明】
【００１０】
【図１】本開示の実施の形態１に従う空調システムの全体構成図である。
【図２】図１に示す室外機、室内機及び冷媒配管によって形成される冷凍サイクル装置の詳細な構成を示した図である。
【図３】図１に示す空調システムについてのグルーピング情報の一例を示した図である。
【図４】システム制御装置により実行される処理の手順を説明するフローチャートである。
【図５】図４のステップＳ４５において実行される冷媒漏洩特定処理の手順の一例を説明するフローチャートである。
【図６】本開示の実施の形態２に従う空調システムの全体構成図である。
【図７】図６に示す空調システムについてのグルーピング情報の一例を示した図である。
【図８】ポンプダウン運転時の第１モードの運転を説明する図である。
【図９】ポンプダウン運転時の第２モードの運転を説明する図である。
【図１０】実施の形態３に従う空調システムの全体構成図である。
【図１１】図１０に示す空調システムについてのグルーピング情報の一例を示した図である。
【図１２】空調システムの他の構成例を示した図である。
【図１３】空調システムのさらに他の構成例を示した図である。
【発明を実施するための形態】
【００１１】
以下、本開示の実施の形態について、図面を参照しながら詳細に説明する。以下では、複数の実施の形態について説明するが、各実施の形態で説明された構成を適宜組合わせることは出願当初から予定されている。なお、図中同一又は相当部分には同一符号を付してその説明は繰返さない。
【００１２】
実施の形態１．
＜空調システムの全体構成＞
図１は、本開示の実施の形態１に従う空調システムの全体構成図である。図１を参照して、空調システム１は、対象空間４０の冷房又は暖房を行なうように構成された空調装置５と、対象空間４０に設置される冷媒センサ５０及び換気装置６０と、システム制御装置８０とを備える。
【００１３】
空調装置５は、室外機１０ａ，１０ｂと、室内機２０ａ，２０ｂと、冷媒配管３０ａ，３０ｂと、遮断弁７０ａ，７０ｂとを含む。室内機２０ａは、冷媒配管３０ａを通じて室外機１０ａと接続され、室外機１０ａ、室内機２０ａ及び冷媒配管３０ａによって冷凍サイクル装置が形成される。室内機２０ｂは、冷媒配管３０ｂを通じて室外機１０ｂと接続され、室外機１０ｂ、室内機２０ｂ及び冷媒配管３０ｂによって冷凍サイクル装置が形成される。
【００１４】
遮断弁７０ａは、冷媒配管３０ａに設けられ、室外機１０ａから室内機２０ａへ流れる冷媒の流れ若しくは室内機２０ａから室外機１０ａへ流れる冷媒の流れを遮断する弁である。遮断弁７０ｂは、冷媒配管３０ｂに設けられ、室外機１０ｂから室内機２０ｂへ流れる冷媒の流れ若しくは室内機２０ｂから室外機１０ｂへ流れる冷媒の流れを遮断する弁である。
【００１５】
室外機１０ａ，１０ｂは、後述する圧縮機、四方弁などの各種機器の他、各種機器を制御する制御部１５ａ，１５ｂをそれぞれ含む。制御部１５ａ，１５ｂの各々は、マイコン、メモリ、入出力バッファ等を含んで構成される（いずれも図示せず）。制御部１５ａは、システム制御装置８０からの制御指令に従って、室外機１０ａに設けられる圧縮機や四方弁等の各種機器の動作を制御する。制御部１５ｂは、システム制御装置８０からの制御指令に従って、室外機１０ｂに設けられる各種機器の動作を制御する。
【００１６】
室内機２０ａ，２０ｂは、後述する膨張弁等の各種機器の他、各種機器を制御する制御部２５ａ，２５ｂをそれぞれ含む。制御部２５ａ，２５ｂの各々も、マイコン、メモリ、入出力バッファ等を含んで構成される（いずれも図示せず）。制御部２５ａは、システム制御装置８０からの制御指令に従って、室内機２０ａに設けられる膨張弁等の各種機器の動作を制御する。制御部２５ｂは、システム制御装置８０からの制御指令に従って、室内機２０ｂに設けられる各種機器の動作を制御する。
【００１７】
図２は、図１に示した室外機１０ａ（１０ｂ）、室内機２０ａ（２０ｂ）及び冷媒配管３０ａ（３０ｂ）によって形成される冷凍サイクル装置の詳細な構成を示した図である。室外機１０ｂ、室内機２０ｂ及び冷媒配管３０ｂによって形成される冷凍サイクル装置の構成は、室外機１０ａ、室内機２０ａ及び冷媒配管３０ａによって形成される冷凍サイクル装置と同等であり、以下では、室外機１０ａ，１０ｂを互いに区別することなく「室外機１０」と称することがある。同様に、室内機２０ａ，２０ｂを互いに区別することなく「室内機２０」と称し、冷媒配管３０ａ，３０ｂを互いに区別することなく「冷媒配管３０」と称することがある。また、遮断弁７０ａ，７０ｂについても、互いに区別することなく「遮断弁７０」と称することがある。
【００１８】
図２を参照して、室外機１０は、圧縮機１０２と、四方弁１０４と、室外熱交換器１０６と、アキュムレータ１１２とを含む。室内機２０は、室内熱交換器１２０と、膨張弁１２２とを含む。なお、この図２では、図１に示した制御部１５ａ（１５ｂ）及び制御部２５ａ（２５ｂ）については、図示を省略している。
【００１９】
圧縮機１０２は、アキュムレータ１１２から受ける冷媒を圧縮して四方弁１０４に向かって吐出する。圧縮機１０２は、図示しない制御部からの制御指令に従って運転周波数を変更可能に構成される。圧縮機１０２の運転周波数を変更することにより圧縮機１０２の出力が調整される。圧縮機１０２には種々のタイプを採用可能であり、たとえば、ロータリータイプ、往復タイプ、スクロールタイプ、スクリュータイプ等のものを採用し得る。
【００２０】
四方弁１０４は、図示しない制御部からの制御指令に従って、状態Ａ（冷房運転状態）及び状態Ｂ（暖房運転状態）のいずれかに切替えられる。状態Ａは、ポートＥとポートＨとが連通し、ポートＦとポートＧとが連通する状態である。状態Ｂは、ポートＥとポートＦとが連通し、ポートＨとポートＧとが連通する状態である。
【００２１】
室外熱交換器１０６は、冷媒が室外空気（対象空間４０（図１）の外部の空気）と熱交換を行なうように構成され、状態Ａ（冷房運転状態）においては、室外熱交換器１０６での放熱によって冷媒が液化する凝縮器として機能し、状態Ｂ（暖房運転状態）においては、室外熱交換器１０６での吸熱によって冷媒が気化する蒸発器として機能する。
【００２２】
室内熱交換器１２０は、冷媒が室内空気（対象空間４０の内部の空気）と熱交換を行なうように構成され、状態Ａ（冷房運転状態）においては、室内熱交換器１２０での吸熱によって冷媒が気化する蒸発器として機能し、状態Ｂ（暖房運転状態）においては、室内熱交換器１２０での放熱によって冷媒が液化する凝縮器として機能する。
【００２３】
膨張弁１２２は、図示しない制御部からの制御指令に従って、全開、ＳＨ（スーパーヒート：過熱度）制御、ＳＣ（サブクール：過冷却度）制御、又は閉止のいずれかとなるように弁の開度が調整される。
【００２４】
なお、冷媒配管３０に設けられる遮断弁７０については、後ほど説明する。また、室外機１０は、圧力センサ１１４と、温度センサ１１６，１１８とをさらに含む。圧力センサ１１４及び温度センサ１１６，１１８についても、後ほど説明する。
【００２５】
以上のような構成を有する冷凍サイクル装置において、状態Ａ（冷房運転状態）で圧縮機１０２を運転することによって、図２における実線矢印に示す方向に冷媒の循環経路が形成される。具体的には、圧縮機１０２によって高温高圧の蒸気状態とされた冷媒は、四方弁１０４を経由して室外熱交換器１０６へ供給され、室外熱交換器１０６において室外空気と熱交換（放熱）することにより凝縮（液化）されて高圧の液冷媒となる。
【００２６】
その後、冷媒は、膨張弁１２２で減圧されて室内熱交換器１２０へ供給され、室内熱交換器１２０において室内空気と熱交換（吸熱）することにより蒸発（気化）されて低圧のガス冷媒となる。さらに、冷媒は、四方弁１０４を経由してアキュムレータ１１２へ供給され、圧縮機１０２に再び吸入される。これにより、室内機２０が設置された対象空間４０（図１）が冷房される。
【００２７】
一方、状態Ｂ（暖房運転状態）で圧縮機１０２を運転することによって、図中の破線矢印に示す方向に冷媒の循環経路が形成される。具体的には、圧縮機１０２によって高温高圧の蒸気状態とされた冷媒は、四方弁１０４を経由して室内熱交換器１２０に供給され、室内熱交換器１２０において室内空気と熱交換（放熱）することにより凝縮（液化）されて高圧の液冷媒となる。
【００２８】
その後、冷媒は、膨張弁１２２で減圧されて室外熱交換器１０６へ供給され、室外熱交換器１０６において室外空気と熱交換（吸熱）することにより蒸発（気化）されて低圧のガス冷媒となる。さらに、冷媒は、四方弁１０４を経由してアキュムレータ１１２へ供給され、圧縮機１０２に再び吸入される。これにより、室内機２０が設置された対象空間４０が暖房される。
【００２９】
このように、この冷凍サイクル装置（空調装置５）は、状態Ａ（冷房運転状態）と状態Ｂ（暖房運転状態）とを四方弁１０４を用いて切替可能な冷暖切替式である。
【００３０】
再び図１を参照して、冷媒センサ５０は、対象空間４０に設置され、空調装置５で用いられる冷媒についての、大気中における冷媒ガス濃度を検出するように構成される。或いは、冷媒センサ５０は、冷媒ガス濃度の上昇に伴なう酸素濃度の低下を検出するために、酸素濃度を検出するように構成することも可能である。冷媒センサ５０は、対象空間４０内に配置してもよいし、図示しないダクトや室内機２０ａ，２０ｂの内部等に配置することも可能である。
【００３１】
換気装置６０は、対象空間４０に設置され、対象空間４０内の空気を強制的に換気するように構成される。一例として、換気装置６０は、換気ファンと、吸気口及び／又は排気口とによって構成され、システム制御装置８０からの制御指令に従って換気ファンが作動することによって、吸気口及び／又は排気口を通じて対象空間４０内の空気を強制的に換気する。
【００３２】
遮断弁７０ａ，７０ｂは、それぞれ冷媒配管３０ａ，３０ｂに設けられ、システム制御装置８０からの制御指令に従って開閉する。たとえば、遮断弁７０ａ，７０ｂは、システム制御装置８０からの制御指令に従う励磁回路の通電／非通電によって開閉制御される電磁弁によって構成することができる。なお、通電時に開状態となり、非通電時に閉状態となるタイプの電磁弁を用いると、電源供給の遮断時に遮断弁７０ａ，７０ｂを閉状態として冷媒を遮断することができる。
【００３３】
システム制御装置８０は、ＣＰＵ（Central  Control  Unit）８２、記憶装置８４、表示装置８６、入出力バッファ（図示せず）等を含んで構成される。システム制御装置８０は、室外機１０ａの各種機器及び室内機２０ａの各種機器の動作を制御するための制御指令を生成して、室外機１０ａの制御部１５ａ及び室内機２０ａの制御部２５ａへそれぞれ送信する。また、システム制御装置８０は、室外機１０ｂの各種機器及び室内機２０ｂの各種機器の動作を制御するための制御指令を生成して、室外機１０ｂの制御部１５ｂ及び室内機２０ｂの制御部２５ｂへそれぞれ送信する。
【００３４】
また、システム制御装置８０は、室内機２０ａの制御部２５ａ及び／又は室内機２０ｂの制御部２５ｂを経由して冷媒センサ５０からの出力信号を取得する。そして、冷媒センサ５０により対象空間４０における冷媒漏れが検知されると、システム制御装置８０は、換気装置６０へ作動指令を出力する。さらに、システム制御装置８０は、冷媒センサ５０による冷媒漏れが検知された場合に、対象空間４０に設置されている室内機２０ａ，２０ｂのいずれにおいて冷媒漏れが生じたかを特定するための処理を実行し、冷媒漏れが特定された室内機に対して冷媒漏れを抑制するための対策を実行する。以下、冷媒センサ５０により冷媒漏れが検知された場合の動作について詳しく説明する。
【００３５】
＜冷媒漏洩検知時の制御動作＞
この実施の形態１に従う空調システム１では、冷媒センサ５０は、室内機２０ａ，２０ｂ毎に設けられているのではなく、対象空間４０内に漏れ出た冷媒を検知するものとして対象空間４０に１つ設けられる。したがって、この空調システム１では、冷媒センサ５０による冷媒漏れの検知をもって、室内機２０ａ，２０ｂのいずれにおいて冷媒漏れが生じたかを判断できない。この場合に、室内機２０ａ，２０ｂの双方を含む空調装置５全体を停止してしまうと、本来運転を継続可能な室内機までも停止することとなり、対象空間４０の快適性が損なわれる。
【００３６】
そこで、この実施の形態１に従う空調システム１では、対象空間４０に設置された冷媒センサ５０により冷媒漏れが検知されると、対象空間４０に設置された室内機２０ａ，２０ｂのうち冷媒漏れが生じた室内機を特定するための処理が実行される。そしてさらに、この空調システム１では、冷媒漏れが特定された室内機に対して、グルーピング情報を参照して対応の冷媒漏洩抑制装置を作動させる。
【００３７】
この空調システム１では、室内機２０ａに対応する冷媒漏洩抑制装置として遮断弁７０ａが設けられ、室内機２０ｂに対応する冷媒漏洩抑制装置として遮断弁７０ｂが設けられている。そして、グルーピング情報とは、冷媒センサ５０、室内機２０ａ，２０ｂ、室外機１０ａ，１０ｂ、及び複数の冷媒漏洩抑制装置（遮断弁７０ａ，７０ｂ）の関連性を規定した情報であり、空調装置５の構成に応じて予め準備され記憶装置８４に記憶されている。
【００３８】
このような構成とすることにより、冷媒センサ５０により冷媒漏れが検知され、たとえば、室内機２０ａからの冷媒漏れが特定された場合に、グルーピング情報を参照して、室内機２０ａに対応する冷媒漏洩抑制装置としての遮断弁７０ａを閉じ、室内機２０ｂについては運転を継続させる等の措置を採ることができる。このように、この空調システム１によれば、対象空間４０において冷媒漏れが生じた場合に、対象空間４０の快適性を維持しつつ保安性を高めることができる。
【００３９】
図３は、図１に示した空調システム１についてのグルーピング情報の一例を示した図である。図３を参照して、この実施の形態１では、対象空間が１つであり、図１に示した対象空間４０に対応する対象空間１が存在する。対象空間１には、図１に示した冷媒センサ５０に対応する冷媒センサ１が関連付けられている。また、この実施の形態１では、対象空間４０に２つの室内機２０ａ，２０ｂが設置されており、対象空間１及び冷媒センサ１には、図１に示した室内機２０ａ，２０ｂにそれぞれ対応する室内機１，２が関連付けられている。
【００４０】
また、この実施の形態１では、室内機２０ａ，２０ｂにそれぞれ対応して室外機１０ａ，１０ｂが設けられており、室内機１，２には、図１に示した室外機１０ａ，１０ｂにそれぞれ対応する室外機１，２が関連付けられている。さらに、室内機１に対応する冷媒漏洩抑制手段として、遮断弁７０ａによる冷媒回路遮断が関連付けられており、室内機２に対応する冷媒漏洩抑制手段として、遮断弁７０ｂによる冷媒回路遮断が関連付けられている。
【００４１】
以下に、冷媒センサ５０によって冷媒漏れが検知された場合の動作についての一例を示す。図３とともに図１を参照して、冷媒センサ５０によって対象空間４０内の冷媒漏れが検知されると、システム制御装置８０は、記憶装置８４に記憶されているグルーピング情報を参照して、対象空間１（対象空間４０）において冷媒漏れが生じたことを認識するとともに、その対象空間１における室外機及び室内機の構成を参照する。
【００４２】
システム制御装置８０は、グルーピング情報を参照して、対象空間１には、室外機１及び室内機１によって構成される冷媒回路と、室外機２及び室内機２によって構成される冷媒回路とが存在することを認識し、この２つの冷媒回路が冷媒漏れの検査対象（冷媒漏れの有無の特定）を行なう検査対象であると判断する（冷媒漏れが生じた冷媒回路（室内機）の特定方法については後述）。
【００４３】
そして、室外機１と室内機１とによって構成される冷媒回路の冷媒漏れが特定された場合は、システム制御装置８０は、グルーピング情報を参照して、当該冷媒回路に対する冷媒漏洩抑制手段として遮断弁７０ａによる冷媒回路遮断が用意されていることを認識し、遮断弁７０ａによる冷媒回路遮断を実行する。一方、室外機２と室内機２とによって構成される冷媒回路の冷媒漏れが特定された場合は、システム制御装置８０は、グルーピング情報を参照して、当該冷媒回路に対する冷媒漏洩抑制手段として遮断弁７０ｂによる冷媒回路遮断が用意されていることを認識し、遮断弁７０ｂによる冷媒回路遮断を実行する。
【００４４】
なお、この実施の形態１では、冷媒センサ５０が設置される対象空間４０には、換気装置６０が設置されており、冷媒センサ５０によって冷媒漏れが検知された場合に、システム制御装置８０は、冷媒漏れが生じた冷媒回路を特定する上記の処理を実行するとともに、換気装置６０を直ちに作動させる。
【００４５】
図４は、システム制御装置８０により実行される処理の手順を説明するフローチャートである。図４を参照して、このフローチャートに示される一連の処理は、空調装置５の運転開始を指示する指令が入力（たとえばユーザによる空調開始の指示入力）されると開始される。
【００４６】
システム制御装置８０は、冷媒漏洩抑制装置が正常であるか否かを判定する（ステップＳ１０）。この実施の形態１では、遮断弁７０ａ，７０ｂが正常に動作するか否かが判定される。たとえば、システム制御装置８０は、冷媒漏洩抑制装置との間に通信異常が検知された場合等に、遮断弁７０ａ，７０ｂが正常でない（異常）と判定する。
【００４７】
冷媒漏洩抑制装置（遮断弁７０ａ，７０ｂ）に何らかの異常が検知された場合には（ステップＳ１０においてＮＯ）、システム制御装置８０は、空調装置５へ運転指令を出力することなく、冷媒漏洩抑制装置の異常を報知するための処理を実行する（ステップＳ１５）。一例として、システム制御装置８０は、冷媒漏洩抑制装置が異常であることを表示装置８６に表示させる。なお、冷媒漏洩抑制装置が異常であることの表示とともに、又はその表示に代えて、冷媒漏洩抑制装置が異常であることを音声出力してもよい。そして、システム制御装置８０は、その後エンドへと処理を移行し、空調装置５の運転は開始されない。
【００４８】
ステップＳ１０において冷媒漏洩抑制装置は正常であると判定されると（ステップＳ１０においてＹＥＳ）、システム制御装置８０は、空調装置５へ運転指令を出力する（ステップＳ２０）。具体的には、冷房／暖房選択、対象空間４０の設定温度及び検知温度等に基づいて、室外機１０ａ及び室内機２０ａを作動させるための運転指令を室外機１０ａの制御部１５ａ及び室内機２０ａの制御部２５ａへ出力するとともに、室外機１０ｂ及び室内機２０ｂを作動させるための運転指令を室外機１０ｂの制御部１５ｂ及び室内機２０ｂの制御部２５ｂへ出力する。
【００４９】
次いで、システム制御装置８０は、冷媒センサ５０の出力信号を、室内機２０ａの制御部２５ａ及び／又は室内機２０ｂの制御部２５ｂを通じて受信し、その受信信号に基づいて、冷媒センサ５０が冷媒を検知したか否かを判定する（ステップＳ２５）。冷媒センサ５０によって冷媒が検知されていない場合には（ステップＳ２５においてＮＯ）、冷媒漏れは生じていないと判断され、ステップＳ２５へ処理が戻される。
【００５０】
ステップＳ２５において冷媒センサ５０が冷媒を検知したと判定されると（ステップＳ２５においてＹＥＳ）、システム制御装置８０は、冷媒を検知した冷媒センサ５０が設置されている対象空間に換気装置が設置されているか否かを判定する（ステップＳ３０）。換気装置が設置されているものと判定されると（ステップＳ３０においてＹＥＳ）、システム制御装置８０は、その換気装置に対して作動指令を出力する（ステップＳ３５）。一方、換気装置は設置されていないと判定されると（ステップＳ３０においてＮＯ）、システム制御装置８０は、ステップＳ３５を実行することなくステップＳ４０へと処理を移行する。この実施の形態１では、冷媒センサ５０が設置されている対象空間４０には、換気装置６０が設置されているので、ステップＳ３０ではＹＥＳが選択され、システム制御装置８０は、換気装置６０へ作動指令を出力する。
【００５１】
そして、システム制御装置８０は、対象空間４０において冷媒漏れが発生していることを報知するための処理を実行する（ステップＳ４０）。報知手段は、ステップＳ１５と同様に、表示装置８６における表示とし得るが、表示装置８６の表示とともに、又はその表示に代えて、音声出力等も採用し得る。
【００５２】
なお、対象空間４０において冷媒漏れが発生していることを報知するための処理が実行されるステップＳ４０の処理は、ステップＳ２５において冷媒センサ５０が冷媒を検知したと判定された直後に行なわれてもよい。
【００５３】
次いで、システム制御装置８０は、対象空間４０において冷媒漏れが生じた室内機を特定するための冷媒漏洩特定処理を実行する（ステップＳ４５）。この冷媒漏洩特定処理によって、対象空間４０に設置される室内機２０ａ，２０ｂのいずれにおいて冷媒漏れが生じているか否かが特定される。冷媒漏洩特定処理の詳細については、後ほど図５を用いて詳しく説明する。
【００５４】
ステップＳ４５において冷媒漏れが生じた室内機が特定されると、システム制御装置８０は、記憶装置８４に記憶されているグルーピング情報（図３）を参照して、冷媒漏れが特定された室内機に対応する冷媒漏洩抑制装置へ作動指令を出力する（ステップＳ５０）。すなわち、室内機２０ａの冷媒漏れが特定された場合には、室内機２０ａに対応する冷媒漏洩抑制装置としての遮断弁７０ａへ作動指令（閉指令）が出力され、室内機２０ｂの冷媒漏れが特定された場合には、室内機２０ｂに対応する冷媒漏洩抑制装置としての遮断弁７０ｂへ作動指令（閉指令）が出力される。
【００５５】
さらに、システム制御装置８０は、ステップＳ５０における冷媒漏洩抑制装置の作動の影響を受けない室内機及び室外機の運転を継続する。この実施の形態１では、たとえば、室内機２０ａの冷媒漏れが特定されて遮断弁７０ａが閉止されても、室内機２０ｂ及び室外機１０ｂはその影響を受けないことから、室内機２０ａに対しては運転停止指令が発せられて運転が停止される一方で、室外機１０ｂ及び室内機２０ｂについては運転が継続される。
【００５６】
そして、システム制御装置８０は、以下の内容を報知するための処理を実行する（ステップＳ６０）。すなわち、システム制御装置８０は、冷媒漏れが特定された室内機に対応する冷媒漏洩抑制装置（上記の例では遮断弁７０ａ）が作動中であること、他の室内機への影響の有無（上記の例では、室内機２０ｂへの影響は無いこと）、ユーザの採り得る対応（部屋（対象空間４０）の窓を開ける、部屋から出る等）等を報知するための処理を実行する。報知手段は、ステップＳ１５やステップＳ４０と同様に、表示装置８６における表示とし得るが、表示装置８６の表示とともに、又はその表示に代えて、音声出力等も採用し得る。
【００５７】
次いで、システム制御装置８０は、ステップＳ５０において作動させた冷媒漏洩抑制装置による冷媒漏洩対策が完了したか否かを判定する（ステップＳ６５）。たとえば、ステップＳ５０において冷媒漏洩抑制装置へ作動指令を出力してから一定時間が経過した場合や、冷媒センサ５０により検知される冷媒ガス濃度が十分に低下した場合等に、冷媒漏洩対策が完了したものと判断するようにしてもよい。なお、この実施の形態１では、冷媒漏洩対策手段として遮断弁７０ａ，７０ｂを採用しており、冷媒漏洩対策は作動指令の出力及び動作確認によって直ちに完了するので、作動指令を出力した遮断弁の動作確認（閉動作の確認）をもって冷媒漏洩対策が完了したものと判断してもよい。
【００５８】
そして、冷媒漏洩対策が完了したものと判定されると（ステップＳ６５においてＹＥＳ）、システム制御装置８０は、冷媒漏洩対策の完了を報知するための処理を実行する（ステップＳ７０）。報知手段は、上記のステップＳ１５等と同様に、表示装置８６における表示とし得るが、表示装置８６の表示とともに、又はその表示に代えて、音声出力等も採用し得る。
【００５９】
図５は、図４のステップＳ４５において実行される冷媒漏洩特定処理の手順の一例を説明するフローチャートである。図５を参照して、システム制御装置８０は、記憶装置８４に記憶されているグルーピング情報（図３）を参照して、冷媒漏れの判定（検査）を行なう冷媒回路を選定する（ステップＳ１１０）。この実施の形態１では、室外機１及び室内機１（室外機１０ａ及び室内機２０ａ）によって構成される冷媒回路と、室外機２及び室内機２（室外機１０ｂ及び室内機２０ｂ）によって構成される冷媒回路とが検査対象として選定される。
【００６０】
そして、この実施の形態１では、選定された各冷媒回路について、室外熱交換器出口における冷媒の過冷却度に基づいて冷媒漏れの有無が判定される。すなわち、冷媒の過冷却度が正常時に対して大きく低下している場合には、冷媒回路内における冷媒の圧力低下が疑われ、冷媒漏れが生じているものと判断することができる。
【００６１】
ここで、過冷却度の算出方法について簡単に説明する。再び図２を参照して、室外機１０には、圧力センサ１１４と、温度センサ１１６，１１８とが設けられている。圧力センサ１１４及び温度センサ１１６は、室外熱交換器１０６が凝縮器として機能しているとき（冷房運転時）の、室外熱交換器１０６の出口側に設けられる。圧力センサ１１４は、室外熱交換器１０６の出口側の冷媒圧力（凝縮圧力）を検出する。温度センサ１１６は、室外熱交換器１０６の出口側の冷媒温度を検出する。温度センサ１１８は、室外熱交換器１０６近傍の外気温度を検出する。
【００６２】
室外熱交換器１０６の出口側における冷媒の過冷却度は、圧力センサ１１４により検出される室外熱交換器１０６の出口側の冷媒圧力を冷媒の飽和温度値に換算し、この飽和温度値から温度センサ１１６により検出される冷媒温度を差引くことによって算出することができる。
【００６３】
そして、この実施の形態１では、空調装置５が正常であるときに検査運転（冷房運転）が行なわれ、各冷媒回路について正常時の過冷却度ＳＣ０が算出され、温度センサ１１８によって検出されるその時の外気温度とともに記憶装置８４に記憶される。
【００６４】
再び図５を参照して、このような冷媒の過冷却度に基づく冷媒漏洩判定を行なうために、システム制御装置８０は、ステップＳ１１０において選定された各冷媒回路の正常時における室外熱交換器出口の過冷却度ＳＣ０、及びそれが算出された時の外気温度を記憶装置８４から取得する（ステップＳ１１５）。
【００６５】
次いで、システム制御装置８０は、漏洩判定を行なう各冷媒回路について、各種センサ情報（図２の圧力センサ１１４及び温度センサ１１６の各検出値）を取得する（ステップＳ１２０）。そして、システム制御装置８０は、取得された各種センサ情報に基づいて、室外熱交換器１０６の出口側における現在の過冷却度を算出し、算出された値を過冷却度ＳＣ０の算出時における室外温度に相当する値に補正する（補正後の過冷却度をＳＣ１とする。）。
【００６６】
次いで、システム制御装置８０は、ステップＳ１１５において取得された正常時の過冷却度ＳＣ０と、ステップＳ１２５において算出された過冷却度ＳＣ１との差（ＳＣ０−ＳＣ１）を算出する。そして、システム制御装置８０は、算出された差分値が予め定められた規定値以上である冷媒回路について、その冷媒回路の室内機から冷媒漏れが生じているものと判定する（ステップＳ１３０）。
【００６７】
以上のように、この実施の形態１においては、対象空間４０に設置された冷媒センサ５０により冷媒漏れが検知されると、対象空間４０に設置された室内機２０ａ，２０ｂのうち冷媒漏れが生じた室内機を特定するための処理が実行され、冷媒漏れが特定された室内機に対して、グルーピング情報を参照して対応の遮断弁（７０ａ又は７０ｂ）を作動させる。これにより、たとえば、室内機２０ａからの冷媒漏れが特定された場合に、室内機２０ａに対応する冷媒漏洩抑制装置としての遮断弁７０ａを閉じ、室内機２０ｂについては運転を継続させる等の措置を採ることができる。したがって、この実施の形態１によれば、対象空間４０において冷媒漏れが生じた場合に、対象空間４０の快適性を維持しつつ保安性を高めることができる。
【００６８】
実施の形態２．
実施の形態１では、冷媒漏れが検知された場合に冷媒漏れを抑制する手段として遮断弁７０ａ，７０ｂが設けられるものとしたが、この実施の形態２では、冷媒漏れを抑制する手段として、冷媒漏れが生じた室内機及び冷媒配管に残存する冷媒を室外機に回収する冷媒回収運転（「ポンプダウン運転」とも称される。）が実行される。
【００６９】
図６は、本開示の実施の形態２に従う空調システムの全体構成図である。図２を参照して、この空調システム１Ａは、図１に示した空調システム１の構成において、空調装置５に代えて空調装置５Ａを備える。空調装置５Ａは、図１に示した空調装置５において、遮断弁７０ａ，７０ｂを備えておらず、室外機１０ａ，１０ｂ及びシステム制御装置８０に代えてそれぞれ室外機１０＃ａ，１０＃ｂ及びシステム制御装置８０Ａを含む。
【００７０】
室内機２０ａは、冷媒配管３０ａを通じて室外機１０＃ａと接続され、室内機２０ｂは、冷媒配管３０ｂを通じて室外機１０＃ｂと接続される。そして、室外機１０＃ａ、室内機２０ａ、及び冷媒配管３０ａによって冷凍サイクル装置が形成され、室外機１０＃ｂ、室内機２０ｂ、及び冷媒配管３０ｂによって冷凍サイクル装置が形成される。
【００７１】
室外機１０＃ａ、室内機２０ａ及び冷媒配管３０ａによって構成される冷媒回路は、ポンプダウン運転可能に構成される。室外機１０＃ｂ、室内機２０ｂ及び冷媒配管３０ｂによって構成される冷媒回路も、ポンプダウン運転可能に構成される。ポンプダウン運転の詳細については、後ほど図８，９を用いて説明する。
【００７２】
システム制御装置８０Ａは、実施の形態１におけるシステム制御装置８０と同様に、冷媒センサ５０により対象空間４０における冷媒漏れが検知されると、換気装置６０へ作動指令を出力するとともに、対象空間４０に設置されている室内機２０ａ，２０ｂのいずれにおいて冷媒漏れが生じたかを特定するための処理を実行する。そして、システム制御装置８０Ａは、冷媒漏れが特定された室内機に対して、グルーピング情報を参照して対応の冷媒漏洩抑制装置を作動させる。すなわち、システム制御装置８０Ａは、グルーピング情報を参照し、冷媒漏れが特定された室内機に対して、冷媒漏洩抑制手段としての冷媒回収運転（ポンプダウン運転）を実行する。
【００７３】
図７は、図６に示した空調システム１Ａについてのグルーピング情報の一例を示した図である。図７を参照して、この実施の形態２でも、図６に示した対象空間４０に対応する対象空間１が存在する。対象空間１には、図６に示した冷媒センサ５０に対応する冷媒センサ１が関連付けられている。また、対象空間４０には、２つの室内機２０ａ，２０ｂが設置されており、対象空間１及び冷媒センサ１には、図６に示した室内機２０ａ，２０ｂにそれぞれ対応する室内機１，２が関連付けられている。
【００７４】
この実施の形態２では、室内機２０ａ，２０ｂにそれぞれ対応して室外機１０＃ａ，１０＃ｂが設けられており、室内機１，２には、図６に示した室外機１０＃ａ，１０＃ｂにそれぞれ対応する室外機１，２が関連付けられている。さらに、室内機１に対応する冷媒漏洩抑制手段として、室外機１０＃ａを用いた冷媒回収すなわちポンプダウン運転が関連付けられており、室内機２に対応する冷媒漏洩抑制手段として、室外機１０＃ｂを用いた冷媒回収すなわちポンプダウン運転が関連付けられている。
【００７５】
図８は、ポンプダウン運転時の第１モードの運転を説明する図である。図８を参照して、実施の形態２における室外機１０＃（１０＃ａ，１０＃ｂ）は、実施の形態１における室外機１０において、遮断弁１０８をさらに含む。遮断弁１０８は、室外熱交換器１０６と膨張弁１２２との間の冷媒配管に設けられる。そして、ポンプダウン運転中は、遮断弁１０８が閉状態に制御される。
【００７６】
第１モードの運転では、膨張弁１２２が全開にされるとともに四方弁１０４が冷房運転状態（状態Ａ）に設定された状態で、圧縮機１０２が作動する。これにより、室内熱交換器１２０及び冷媒配管３０内の冷媒が四方弁１０４及びアキュムレータ１１２を経由して圧縮機１０２により室外熱交換器１０６へ送られ、室外熱交換器１０６において凝縮される。遮断弁１０８が閉止されているので、室外熱交換器１０６で凝縮された冷媒は、室外熱交換器１０６に貯留される。
【００７７】
図９は、ポンプダウン運転時の第２モードの運転を説明する図である。図９を参照して、第２モードの運転は、上記の第１モードの運転後に実施される。第２モードの運転中も、遮断弁１０８が閉状態に制御される。そして、第２モードの運転では、四方弁１０４が暖房運転状態（状態Ｂ）に設定された状態で、圧縮機１０２が作動する。これにより、室外熱交換器１０６に貯留されている液冷媒が四方弁１０４を経由してアキュムレータ１１２に送られ、アキュムレータ１１２に回収される。この運転により、冷媒を溜める容積を増やすことができる。
【００７８】
このように、第１モードの運転及びその後の第２モードの運転からなるポンプダウン運転によって、室内機２０及び冷媒配管３０内の冷媒を室外機１０のアキュムレータ１１２に回収することができる。
【００７９】
この実施の形態２におけるシステム制御装置８０Ａにより実行される一連の処理の流れも、図４，図５に示したフローチャートに示される処理の流れと基本的に同じである。図４を用いて、この実施の形態２におけるシステム制御装置８０Ａにより実行される処理の手順を説明する。
【００８０】
再び図４を参照して、システム制御装置８０Ａは、冷媒漏洩抑制装置が正常であるか否かを判定する（ステップＳ１０）。この実施の形態２では、遮断弁１０８を含む各種機器が正常であるか否かが判定される。たとえば、システム制御装置８０Ａは、遮断弁１０８との間に通信異常が検知された場合等に、冷媒漏洩抑制装置が正常でない（異常）と判定する。
【００８１】
ステップＳ１５〜ステップＳ４５の各処理は、実施の形態１におけるシステム制御装置８０における処理と同じである。なお、この実施の形態２においても、対象空間４０において冷媒漏れが発生していることを報知するための処理が実行されるステップＳ４０の処理は、ステップＳ２５において冷媒センサ５０が冷媒を検知したと判定された直後に行なわれてもよい。
【００８２】
そして、ステップＳ４５において冷媒漏れが生じた室内機が特定されると、システム制御装置８０Ａは、記憶装置８４に記憶されているグルーピング情報（図７）を参照して、冷媒漏れが特定された室内機に対応する冷媒漏洩抑制装置へ作動指令を出力する（ステップＳ５０）。すなわち、室内機２０ａの冷媒漏れが特定された場合には、室内機２０ａ及び室外機１０＃ａに対してポンプダウン運転を実行するように制御部１５ａ，２５ａへ指令が出力され、室内機２０ｂの冷媒漏れが特定された場合には、室内機２０ｂ及び室外機１０＃ｂに対してポンプダウン運転を実行するように制御部１５ｂ，２５ｂへ指令が出力される。
【００８３】
そして、この実施の形態２では、たとえば、室内機２０ａの冷媒漏れが特定されて室内機２０ａ及び室外機１０＃ａのポンプダウン運転が実施される場合、室内機２０ｂ及び室外機１０＃ｂはその影響を受けないことから、室外機１０＃ｂ及び室内機２０ｂについては、空調運転が継続される。
【００８４】
さらにステップＳ６０の実行後、システム制御装置８０Ａは、ステップＳ５０において作動させた冷媒漏洩抑制装置による冷媒漏洩対策が完了したか否かを判定する（ステップＳ６５）。この実施の形態２では、冷媒漏洩対策手段としてポンプダウン運転を採用しており、このステップＳ６５では、ポンプダウン運転による冷媒回収が完了したか否かが判定される。冷媒回収が完了したか否かは、ポンプダウン運転を開始してからの時間や、冷媒センサ５０により検知される冷媒ガス濃度の十分な低下、或いはアキュムレータ１１２内の液冷媒量等によって判断することができる。
【００８５】
そして、冷媒漏洩対策としてのポンプダウン運転が完了したものと判定されると（ステップＳ６５においてＹＥＳ）、システム制御装置８０Ａは、冷媒漏洩対策の完了を報知するための処理を実行する（ステップＳ７０）。
【００８６】
以上のように、この実施の形態２によっても、対象空間４０において冷媒漏れが生じた場合に、対象空間４０の快適性を維持しつつ保安性を高めることができる。
【００８７】
実施の形態３．
実施の形態３では、対象空間が複数の場合の一例が示される。図１０は、実施の形態３に従う空調システムの全体構成図である。図１０を参照して、空調システム１Ｂは、対象空間４０ａ，４０ｂの冷房又は暖房を行なうように構成された空調装置５Ｂと、対象空間４０ａに設置される冷媒センサ５０ａ及び換気装置６０ａと、対象空間４０ｂに設置される冷媒センサ５０ｂ及び換気装置６０ｂと、システム制御装置８０Ｂとを備える。
【００８８】
空調装置５Ｂは、室外機１０ａ，１０＃ｂと、室内機２０ａ，２０ｂ，２０ｃと、冷媒配管３０ａ，３０ｂ，３０ｃと、遮断弁７０ａ，７０ｂとを含む。室内機２０ｂは、冷媒配管３０ｂを通じて室外機１０＃ｂと接続され、室内機２０ｃは、冷媒配管３０ｃを通じて室外機１０＃ｂと接続される。そして、室外機１０＃ｂ、室内機２０ｂ，２０ｃ、及び冷媒配管３０ｂ，３０ｃによって冷凍サイクル装置が形成される。この実施の形態３では、図１に示した実施の形態１の空調装置５において、対象空間４０ｂに設置される室内機２０ｃと、室内機２０ｃを冷媒配管３０ｂに接続する冷媒配管３０ｃとをさらに含み、室外機１０ｂに代えて室外機１０＃ｂを含む構成となっている。
【００８９】
システム制御装置８０Ｂは、冷媒センサ５０ａにより対象空間４０ａにおける冷媒漏れが検知されると、換気装置６０ａへ作動指令を出力するとともに、対象空間４０ａに設置されている室内機２０ａ，２０ｂのいずれにおいて冷媒漏れが生じたかを特定するための処理を実行する。
【００９０】
また、システム制御装置８０Ｂは、冷媒センサ５０ｂにより対象空間４０ｂにおける冷媒漏れが検知されると、換気装置６０ｂへ作動指令を出力するとともに、冷媒漏れが生じた室内機を特定するための処理を実行する。なお、対象空間４０ｂに設置される室内機は室内機２０ｃのみであるので、冷媒センサ５０ｂにより冷媒漏れが検知された場合には、冷媒漏れが生じた室内機が室内機２０ｃであると直ちに特定することができる。
【００９１】
そして、システム制御装置８０Ｂは、冷媒漏れが特定された室内機に対して、グルーピング情報を参照して対応の冷媒漏洩抑制装置を作動させる。
【００９２】
図１１は、図１０に示した空調システム１Ｂについてのグルーピング情報の一例を示した図である。図１１を参照して、この実施の形態３では、図１０に示した対象空間４０ａ，４０ｂに対応する対象空間１，２が存在する。対象空間１には、図１０に示した冷媒センサ５０ａに対応する冷媒センサ１が関連付けられており、対象空間２には、冷媒センサ５０ｂに対応する冷媒センサ２が関連付けられている。
【００９３】
また、対象空間４０ａには、２つの室内機２０ａ，２０ｂが設置されており、対象空間１及び冷媒センサ１には、図１０に示した室内機２０ａ，２０ｂにそれぞれ対応する室内機１，２が関連付けられている。一方で、対象空間４０ｂには、室内機２０ｃが設置されており、対象空間２及び冷媒センサ２には、図１０に示した室内機２０ｃに対応する室内機３が関連付けられている。
【００９４】
さらに、この実施の形態３では、室内機２０ａ，２０ｂにそれぞれ対応して室外機１０ａ，１０＃ｂが設けられており、室内機１，２には、図１０に示した室外機１０ａ，１０＃ｂにそれぞれ対応する室外機１，２が関連付けられている。また、室内機２０ｃは、冷媒配管３０ｃによって冷媒配管３０ｂに接続されており、室外機１０＃ｂと冷凍サイクル装置を形成する。すなわち、室内機３には、図１０に示した室外機１０＃ｂに対応する室外機２が関連付けられている。
【００９５】
そして、室内機１に対応する冷媒漏洩抑制手段として、遮断弁７０ａによる冷媒回路遮断が関連付けられており、室内機２に対応する冷媒漏洩抑制手段として、遮断弁７０ｂによる冷媒回路遮断が関連付けられている。室内機３に対応する冷媒漏洩抑制手段としては、室外機１０＃ｂを用いた冷媒回収すなわちポンプダウン運転が関連付けられている。
【００９６】
この実施の形態３におけるシステム制御装置８０Ｂにより実行される一連の処理の流れも、図４，図５に示したフローチャートに示される処理の流れと基本的に同じである。図４を用いて、この実施の形態３におけるシステム制御装置８０Ｂにより実行される処理の手順を説明する。
【００９７】
再び図４を参照して、システム制御装置８０Ｂも、まず、冷媒漏洩抑制装置が正常であるか否かを判定する（ステップＳ１０）。この実施の形態３では、遮断弁７０ａ，７０ｂが正常であるか否か、遮断弁１０８を含む各種機器が正常であるか否か等が判定される。
【００９８】
以下、ステップＳ２５において冷媒センサ５０ａにより冷媒が検知された場合について説明する。冷媒センサ５０ａが冷媒を検知したと判定されると（ステップＳ２５においてＹＥＳ）、システム制御装置８０Ｂは、冷媒を検知した冷媒センサ５０ａが設置されている対象空間４０ａに換気装置が設置されているか否かを判定する（ステップＳ３０）。この実施の形態３では、冷媒センサ５０ａが設置されている対象空間４０ａには、換気装置６０ａが設置されているので、ステップＳ３０ではＹＥＳが選択され、システム制御装置８０Ｂは、換気装置６０ａへ作動指令を出力する（ステップＳ３５）。
【００９９】
そして、システム制御装置８０Ｂは、対象空間４０ａにおいて冷媒漏れが発生していることを報知するための処理を実行する（ステップＳ４０）。なお、この実施の形態３においても、対象空間４０において冷媒漏れが発生していることを報知するための処理が実行されるステップＳ４０の処理は、ステップＳ２５において冷媒センサ５０が冷媒を検知したと判定された直後に行なわれてもよい。
【０１００】
続いて、システム制御装置８０Ｂは、対象空間４０ａにおいて冷媒漏れが生じた室内機を特定するための冷媒漏洩特定処理を実行する（ステップＳ４５）。たとえば、室内機２０ｂの冷媒漏れが特定されたものとすると、システム制御装置８０Ｂは、記憶装置８４に記憶されているグルーピング情報（図１１）を参照して、冷媒漏れが特定された室内機２０ｂに対応する冷媒漏洩抑制装置としての遮断弁７０ｂへ作動指令（閉指令）を出力する（ステップＳ５０）。
【０１０１】
さらに、システム制御装置８０Ｂは、ステップＳ５０における冷媒漏洩抑制装置の作動の影響を受けない室内機及び室外機の運転を継続する。たとえば、室内機２０ｂの冷媒漏れが特定されて遮断弁７０ｂが閉止されても、室内機２０ａ及び室外機１０ａによって構成される冷媒回路、並びに室内機２０ｃ及び室外機１０＃ｂによって構成される冷媒回路はその影響を受けない。したがって、室内機２０ａが運転中であれば、室外機１０ａ及び室内機２０ａの運転が継続され、室内機２０ｃが運転中であれば、室外機１０＃ｂ及び室内機２０ｃの運転が継続される。
【０１０２】
そして、システム制御装置８０Ｂは、ステップＳ６０において、冷媒漏れが特定された室内機２０ｂに対応する冷媒漏洩抑制装置としての遮断弁７０ｂが作動中（閉止）であること、他の室内機への影響の有無（上記の例では、室内機２０ａ，２０ｃへの影響は無いこと）、ユーザの採り得る対応（部屋（対象空間４０ａ）の窓を開ける等）等を報知するための処理を実行する。
【０１０３】
その後、冷媒漏洩対策（遮断弁７０ｂの閉止）が完了したものと判定されると（ステップＳ６５においてＹＥＳ）、システム制御装置８０Ｂは、冷媒漏洩対策の完了を報知するための処理を実行する（ステップＳ７０）。
【０１０４】
一方、ステップＳ２５において冷媒センサ５０ｂにより冷媒が検知された場合について説明する。冷媒センサ５０ｂが冷媒を検知したと判定されると（ステップＳ２５においてＹＥＳ）、システム制御装置８０Ｂは、冷媒を検知した冷媒センサ５０ｂが設置されている対象空間４０ｂに換気装置が設置されているか否かを判定する（ステップＳ３０）。この実施の形態３では、冷媒センサ５０ｂが設置されている対象空間４０ｂには、換気装置６０ｂが設置されているので、ステップＳ３０ではＹＥＳが選択され、システム制御装置８０Ｂは、換気装置６０ｂへ作動指令を出力する（ステップＳ３５）。
【０１０５】
そして、システム制御装置８０Ｂは、対象空間４０ｂにおいて冷媒漏れが発生していることを報知するための処理を実行し（ステップＳ４０）、続いて、対象空間４０ｂにおいて冷媒漏れが生じた室内機を特定するための冷媒漏洩特定処理を実行する（ステップＳ４５）。なお、この実施の形態３では、対象空間４０ｂに設置される室内機は室内機２０ｃのみであるので、冷媒センサ５０ｂにより冷媒漏れが検知された場合には、冷媒漏れが生じた室内機が室内機２０ｃであると直ちに特定される。
【０１０６】
次いで、システム制御装置８０Ｂは、記憶装置８４に記憶されているグルーピング情報（図１１）を参照して、冷媒漏れが特定された室内機２０ｃに対応する冷媒漏洩抑制装置へ作動指令を出力する（ステップＳ５０）。すなわち、室内機２０ｃ及び室外機１０＃ｂに対してポンプダウン運転を実行するように制御部１５ｂ，２５ｃへ指令が出力される。
【０１０７】
さらに、システム制御装置８０Ｂは、ステップＳ５０における冷媒漏洩抑制装置の作動の影響を受けない室内機及び室外機の運転を継続する。室内機２０ｃの冷媒漏れが特定されて上記のポンプダウン運転が実施されると、室内機２０ｃと共通の室外機１０＃ｂに接続される室内機２０ｂの運転を継続することはできないので、室内機２０ｂに対しては運転の停止が指示される。一方、上記のポンプダウン運転を実施しても、室内機２０ａ及び室外機１０ａによって構成される冷媒回路はその影響を受けない。したがって、室内機２０ａが運転中であれば、室外機１０ａ及び室内機２０ａの運転が継続される。
【０１０８】
そして、システム制御装置８０Ｂは、ステップＳ６０において、冷媒漏れが特定された室内機２０ｃに対してポンプダウン運転が作動中であること、他の室内機への影響の有無（上記の例では、室内機２０ａへの影響は無く、室内機２０ｂには影響が有ること）、ユーザの採り得る対応（部屋（対象空間４０ｂ）の窓を開ける、部屋から出る等）等を報知するための処理を実行する。
【０１０９】
その後、冷媒漏洩対策（室内機２０ｃに対するポンプダウン運転）が完了したものと判定されると（ステップＳ６５においてＹＥＳ）、システム制御装置８０Ｂは、冷媒漏洩対策の完了を報知するための処理を実行する（ステップＳ７０）。
【０１１０】
以上のように、この実施の形態３によれば、対象空間４０ａ又は４０ｂにおいて冷媒漏れが生じた場合に、対象空間４０ａ，４０ｂの快適性を維持しつつ保安性を高めることができる。
【０１１１】
変形例．
上記の実施の形態１，２では、冷媒センサ５０の出力信号は、室内機２０ａの制御部２５ａ及び／又は室内機２０ｂの制御部２５ｂを経由してシステム制御装置８０，８０Ａへ送信されるものとしたが、図１２に示されるように、制御部２５ａ，２５ｂを経由することなくシステム制御装置８０，８０Ａへ直接送信されてもよい。また、特に図示しないが、実施の形態３における冷媒センサ５０ａ，５０ｂの検出値についても、室内機の制御部を経由することなくシステム制御装置８０Ｂへ直接送信されるようにしてもよい。
【０１１２】
また、図１３に示すように、室内機毎に室内機リモコンを設けてもよい（たとえば、室内機２０ａ，２０ｂの制御部２５ａ，２５ｂにそれぞれ接続される室内機リモコン９０ａ，９０ｂ等）。この場合、たとえば、冷媒漏洩抑制装置が作動した室内機においては、対応の室内機リモコンの報知部（表示部等）にその旨を報知（表示）させてもよい。
【０１１３】
また、グルーピング情報は、室内機リモコンや室内機の制御部に持たせてもよい。この場合、室内機の制御部のマイコン基盤にディップスイッチを設ける等し、室内機及び冷媒センサ毎に番号を割り振り、その番号をシステム制御装置８０（８０Ａ，８０Ｂ）で管理するようにしてもよい。
【０１１４】
さらに、グルーピング情報は、たとえばシステム制御装置８０（８０Ａ，８０Ｂ）等からユーザが設定可能としてもよい。たとえば、図１０に示した空調システム１Ｂにおいて、対象空間４０ａ，４０ｂが可動壁で仕切られており、可動壁を移動することによって、室内機２０ａのみを含む対象空間と、室内機２０ｂ，２０ｃを含む対象空間とに仕切ることができる場合等に、ユーザがグルーピング情報を設定可能であることは有用である。
【０１１５】
また、特に図示しないが、対象空間は３つ以上であってもよく、各対象空間に３つ以上の室内機が設置されてもよい。また、各対象空間に複数の冷媒センサを設けてもよい。
【０１１６】
今回開示された各実施の形態は、技術的に矛盾しない範囲で適宜組合わせて実施することも予定されている。そして、今回開示された実施の形態は、すべての点で例示であって制限的なものではないと考えられるべきである。本開示の範囲は、上記した実施の形態の説明ではなくて請求の範囲によって示され、請求の範囲と均等の意味及び範囲内でのすべての変更が含まれることが意図される。
【符号の説明】
【０１１７】
１，１Ａ，１Ｂ  空調システム、５，５Ａ，５Ｂ  空調装置、１０，１０ａ，１０ｂ，１０＃，１０＃ａ，１０＃ｂ  室外機、１５ａ，１５ｂ，２５ａ，２５ｂ  制御部、２０，２０ａ〜２０ｃ  室内機、３０，３０ａ〜３０ｃ  冷媒配管、４０，４０ａ，４０ｂ  対象空間、５０，５０ａ，５０ｂ  冷媒センサ、６０，６０ａ，６０ｂ  換気装置、７０ａ，７０ｂ，１０８  遮断弁、８０，８０Ａ，８０Ｂ  システム制御装置、８２  ＣＰＵ、８４  記憶装置、８６  表示装置、９０ａ，９０ｂ  室内機リモコン、１０２  圧縮機、１０４  四方弁、１０６  室外熱交換器、１１２  アキュムレータ、１１４  圧力センサ、１１６，１１８  温度センサ、１２０  室内熱交換器、１２２  膨張弁。
【図１】
2018216127.tif 000003
【図２】
2018216127.tif 000004
【図３】
2018216127.tif 000005
【図４】
2018216127.tif 000006
【図５】
2018216127.tif 000007
【図６】
2018216127.tif 000008
【図７】
2018216127.tif 000009
【図８】
2018216127.tif 000010
【図９】
2018216127.tif 000011
【図１０】
2018216127.tif 000012
【図１１】
2018216127.tif 000013
【図１２】
2018216127.tif 000014
【図１３】
2018216127.tif 000015
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
冷媒を循環させて対象空間の冷房又は暖房を行なうように構成された空調装置と、
前記対象空間に設置され、前記空調装置から前記対象空間への冷媒漏れを検知する冷媒漏洩検知器とを備え、
前記空調装置は、
複数の室内機と、
少なくとも１つの室外機とを含み、さらに、
前記複数の室内機にそれぞれ対応して設けられ、対応の室内機からの冷媒漏れが特定された場合に前記対応の室内機からの冷媒漏れを抑制するように構成された複数の冷媒漏洩抑制装置を備え、
前記複数の室内機の各々は、前記冷媒漏洩検知器に対応付けられており、
前記冷媒漏洩検知器によって冷媒漏れが検知された場合に、前記複数の冷媒漏洩抑制装置のうち、冷媒漏れが生じた室内機を特定する処理の実行によって特定された室内機に設けられた冷媒漏洩抑制装置が作動する、空調システム。
【請求項２】
前記冷媒漏洩検知器、前記複数の室内機、前記少なくとも１つの室外機、及び前記複数の冷媒漏洩抑制装置の関連性を規定するグルーピング情報に従って、前記特定された室内機に対応する冷媒漏洩抑制装置が作動する、請求項１に記載の空調システム。
【請求項３】
前記特定された室内機に対応する冷媒漏洩抑制装置の作動後、前記特定された室内機以外の残余の室内機のうち、前記冷媒漏洩検知器によって冷媒漏れが検知される前に空調運転中の室内機は、運転を継続する、請求項１又は請求項２に記載の空調システム。
【請求項４】
前記対象空間内の空気を強制的に換気する換気装置をさらに備え、
前記冷媒漏洩検知器によって冷媒漏れが検知された場合に、前記処理の実行とともに前記換気装置が作動する、請求項１から請求項３のいずれか１項に記載の空調システム。
【請求項５】
前記複数の冷媒漏洩抑制装置の各々は、対応の室内機に対して設けられる遮断弁、及び前記対応の室内機内の冷媒を室外機に回収する冷媒回収運転を実行可能に構成された装置のいずれか一方を含む、請求項１から請求項４のいずれか１項に記載の空調システム。
【請求項６】
前記冷媒漏洩検知器の検知結果、及び前記複数の冷媒漏洩抑制装置の作動状況を報知するように構成された報知部をさらに備える、請求項１から請求項５のいずれか１項に記載の空調システム。
【請求項７】
前記処理は、対象の室内機に対応する室外機出口の冷媒の過冷却度を算出し、かつ、算出された過冷却度の、予め準備される正常時の過冷却度からの低下量に基づいて、冷媒漏れが生じた室内機を特定する処理を含む、請求項１から請求項６のいずれか１項に記載の空調システム。
【請求項８】
冷媒漏れが生じた室内機を特定する前記処理は、前記冷媒漏洩検知器による冷媒漏れの検知とは異なる処理である、請求項１から請求項７のいずれか１項に記載の空調システム。
【国際調査報告】
2018216127.tif 000016
2018216127.tif 000017
2018216127.tif 000018
2018216127.tif 000019